(57)【要約】 【課題】  簡単な回動操作によってバッテリポストへの締め付けを可能とする。【解決手段】  本発明におけるバッテリターミナル１は、バッテリポスト２の外周面に沿う電極保持部１１と、その前部を開環して前方へ向けて対向状態で延出された第１、第２の側面部１２，１３と、電極保持部１１の後方に向けて延出された電線接続部２０とを備えている。第１側面部１２の上縁には締め付け金具１６が回動可能に支持され、第２側面部１３に向けて回動させることで、作用面１７が摺動面２４に摺接しながら両側面部１２，１３を互いに接近させて、電極保持部１１がバッテリポスト２を締め付けることを可能としている。さらに、締め付け金具１６を後方に向けて回動軸１５の軸方向に沿って移動させることで、締め付け金具１６がロック受け部２５に係止して戻り動作が規制されるようになっている。【選択図】  図６
2006331784.tif 000002
【特許請求の範囲】
【請求項１】
バッテリポストに対し軸方向から嵌合できるように金属帯材を環形に回曲した電極保持部と、その電極保持部の両端から径方向外方に向けて対向状に延出されこれらの間隔が接近することで前記バッテリポストに対し前記電極保持部の締め込みを行う第１、第２の側面部とを備えたバッテリターミナルであって、
前記第１側面部には締め付け金具の一端側が回動操作可能に支持され、前記第２側面部には前記締め付け金具の回動操作時に締め付け金具の他端側と摺接することに伴って前記両側面部を相互に接近させるよう変位させる摺動面が形成されるとともに、第２側面部には両側面部を接近させた状態で前記締め付け金具と係止可能なロック受け部が形成されていることを特徴とするバッテリターミナル。
【請求項２】
前記締め付け金具は前記第１側面部において同側面部が前記電極保持部から延出する方向に沿って配された回動軸に対しほぼ鉛直面内で回動操作可能に支持される一方、前記摺動面は第２側面部の上縁部が前記締め付け金具の回動軌跡にほぼ沿うような円弧状をなすことによって形成されていることを特徴とする請求項１記載のバッテリターミナル。
【請求項３】
前記締め付け金具は前記回動軸に対し軸方向に沿って摺動可能である一方、前記ロック受け部は、前記締め付け金具が前記バッテリポストを締め付け可能な位置まで回動操作された後に前記回動軸に沿って変位させたときに、前記締め付け金具を受け入れて係止することによって前記締め付け金具が戻り方向に変位するのを規制可能なフック形状に形成されていることを特徴とする請求項１又は請求項２記載のバッテリターミナル。
【発明の詳細な説明】
【技術分野】
【０００１】
本発明は、バッテリターミナルに関する。
【背景技術】
【０００２】
従来、この種のバッテリターミナルとしては、下記特許文献１に記載されているように、いわゆる横締めタイプのものが知られている。このものは、金属帯材を環形に回曲して電極保持部が形成されるとともに、その両端から一対の脚片が対向状に延出して形成され、この脚片にはボルト孔が貫通形成されている。そして、電極保持部をバッテリに突設されたバッテリポストに嵌合したのち、ボルト孔に通されたボルトにナットを螺合して締め付けるに伴って両脚片が互いに引き寄せられて電極保持部が縮径変形し、電極保持部がバッテリポストの側面に押し付けられてバッテリポストへの締め付けが可能となっている。
【特許文献１】特開平８−３１５８８９号公報
【発明の開示】
【発明が解決しようとする課題】
【０００３】
しかしながら、このものは別途工具等を使用して繰り返し締め込みを行う必要があるため、バッテリポストへの締め付け作業を行うのに大きな手間と労力を要していた。
【０００４】
本発明は上記のような事情に基づいて完成されたものであって、バッテリポストへの締め付け作業に際し、大きな手間と労力を要することなくワンタッチ操作にて締め付けを可能にすることを目的とする。
【課題を解決するための手段】
【０００５】
上記の目的を達成するための手段として、請求項１の発明は、バッテリポストに対し軸方向から嵌合できるように金属帯材を環形に回曲した電極保持部と、その電極保持部の両端から径方向外方に向けて対向状に延出されこれらの間隔が接近することで前記バッテリポストに対し前記電極保持部の締め込みを行う第１、第２の側面部とを備えたバッテリターミナルであって、前記第１側面部には締め付け金具の一端側が回動操作可能に支持され、前記第２側面部には前記締め付け金具の回動操作時に締め付け金具の他端側と摺接することに伴って前記両側面部を相互に接近させるよう変位させる摺動面が形成されるとともに、第２側面部には両側面部を接近させた状態で前記締め付け金具と係止可能なロック受け部が形成されている構成としたところに特徴を有する。
【０００６】
請求項２の発明は、請求項１に記載のものにおいて、前記締め付け金具は前記第１側面部において同側面部が前記電極保持部から延出する方向に沿って配された回動軸に対しほぼ鉛直面内で回動操作可能に支持される一方、前記摺動面は第２側面部の上縁部が前記締め付け金具の回動軌跡にほぼ沿うような円弧状をなすことによって形成されているところに特徴を有する。
【０００７】
請求項３の発明は、請求項１または請求項２に記載のものにおいて、前記締め付け金具は前記回動軸に対し軸方向に沿って摺動可能である一方、前記ロック受け部は、前記締め付け金具が前記バッテリポストを締め付け可能な位置まで回動操作された後に前記回動軸に沿って変位させたときに、前記締め付け金具を受け入れて係止することによって前記締め付け金具が戻り方向に変位するのを規制可能なフック形状に形成されているところに特徴を有する。
【発明の効果】
【０００８】
＜請求項１の発明＞
請求項１の発明によると、第１側面部に設けられた締め付け金具の回動動作に伴って両側面部を接近させてバッテリポストへの締め付けを可能とし、両側面部を接近させた状態で回動軸の軸方向に沿って変位させることで締め付け金具と係止可能なロック受け部を第２側面部に設けたから、バッテリポストを締め付け状態に保持可能である。すなわち、締め付け金具を回動させるという、ワンタッチ操作をもってバッテリポストへの締め付けを可能とすることができる。
【０００９】
＜請求項２の発明＞
請求項２の発明によると、第１側面部が電極保持部から延出する方向に沿って回動軸が配され、摺動面が締め付け金具の回動軌跡に沿う円弧状に形成されているから、締め込みに際して第２側面部に対する摺接動作を円滑に行うことができる。また、上からの押し込みによって締め込み操作を可能としたから、バッテリターミナルの側方に作業スペースを確保できないような場合でも、締め付け作業を行うことが可能である。
【００１０】
＜請求項３の発明＞
請求項３の発明によると、締め付け金具を回動させてバッテリポストを締め付けた後、そのまま回動軸の軸方向に沿って締め付け金具を変位させて、締め付け金具が戻り方向に変位するのを規制できるようにした。このため、ロック受け部は単にフック形状とすればよいから、ロック構造が簡単となり、かつ作業者は回動させてからスライドさせるまでの操作の間、操作位置を変えずにすむため、簡易にロック操作を行うことが可能である。
【発明を実施するための最良の形態】
【００１１】
＜実施形態１＞
本発明の実施形態１を図１ないし図６によって説明する。実施形態１におけるバッテリターミナル１は、図１に示すように、バッテリポスト２との接続を行うバッテリ接続部１０と、ワイヤハーネス（図示しない）との接続を行う電線接続部２０とからなり、金属製の板材によって一体に形成されている。尚、以下の説明において、前後方向とは図１における上下方向を基準として下側を前方とし、上下方向とは図４に示す上下方向を基準として上側を上方とし、左右方向とは図４に示す左右方向を基準として左側を左方とする。
【００１２】
バッテリポスト２は上方に向けて次第に径が小さくなるような略円錐台形状とされ、その外周面に沿うようにして円弧状の電極保持部１１が形成されている（図１および図４参照）。電極保持部１１の後方には、電線接続部２０が形成されている。電線接続部２０は、電極保持部１１の下端から一体で後方に延出された台座２１と、台座２１上に溶接された接続ボルト２２と、接続ボルト２２の螺子部を貫通するようにして配された受承面２３とから構成されている。受承面２３は、台座２１からの折り返しによって形成され、ナット（図示しない）を用いて、ワイヤハーネスに接続された端子（図示しない円孔を有する）と導通可能に接続される。
【００１３】
電極保持部１１は、図１に示すように、電線接続部２０とは径方向に反対の側が開環され、その両端部から前方に向けて一対の側面部が対向状態で延出されている。実施形態１においては図４に示すように、一対の側面部のうち、右側に位置するものが第１側面部１２とされ、左側に位置するものが第２側面部１３とされている。
【００１４】
第１側面部１２の上縁側には、図１もしくは図４に示すように、略長方形状の挿通孔１４が前後方向に配されている。第１側面部１２の上縁と挿通孔１４とによって挟まれた領域は回動軸１５とされ、ここには第１側面部１２の上方に向けて締め付け金具１６が取り付けられている。
【００１５】
締め付け金具１６は金属製の板状に形成され、図４に示すように、両側面部１２，１３より肉厚に形成されている。締め付け金具１６の短辺側にあたる一端側は、第１側面部１２の外方から挿通孔１４内に挿入され、回動軸１５の外周に沿うようにして折り曲げられて回動支持部１８とされ、締め付け金具１６を回動可能に支持する。このとき、締め付け金具１６の一端側の前後長は、挿通孔１４の前後長よりも短めに設定してあり、締め付け金具１６は、回動軸１５の軸方向に沿って変位可能とされている。
【００１６】
一方、締め付け金具１６の他端側には、長さ方向に沿って締め付け金具１６の中央付近までスリットが設けられており、このスリットを境にして前方側部分は下方へほぼ直角に折り曲げられて作用部２８となり、他方はそのまま左方へと延出されて操作部２６となっている。操作部２６は、締め付け金具１６の回動操作（バッテリポスト２の締め付け操作）を弱い操作力でもって行うために、回動軸１５からの長さを十分なものとして設定されている。作用部２８の先端位置は、締め付け金具１６の回動操作の初期において第２側面部１３（次述する摺動面２４）と摺接可能に設定されており、作用部２８の内面側は作用面１７とされている。
【００１７】
第２側面部１３の上縁における略前半部には、摺動面２４が右斜め上方（締め付け金具１６に向かう方向）に向けて張り出し形成されている。摺動面２４は、作用部２８の作用面１７と摺接可能とされ、締め付け金具１６の回動方向に沿って摺接可能なように円弧状に形成されている。これにて、図５に示すように、締め付け金具１６を第２側面部１３側に回動させることで、両側面部１２，１３は互いに接近するように変位し、最終的に図６に示す状態となって、バッテリポスト２の締め付けが可能となっている。このとき、作用部２８は、バッテリポスト２に対して十分な締め付け力を得ることができるように折り曲げ位置が設定されている。
【００１８】
また、第２側面部１３の外面側における略中央には、切り起こし形成されたロック受け部２５が設けられている。ロック受け部２５は、第２側面部１３内において横向きに略Ｕ字状の切り込みを入れた後、その内側部分を外方に向けて略直角に切り起こし、その先端を前方に向けて略直角に折り曲げることで形成される。このとき、ロック受け部２５の内面は係止面２７とされ、第２側面部１３の外面と係止面２７との間には、締め付け金具１６の作用部２８を受入可能となっており、作用部２８の外面が係止面２７とが係止することで、締め付け金具１６の戻り動作が規制されバッテリポスト２を締め付け状態に保持可能となっている。尚、ロック受け部２５は、図２に示すように、回動動作を妨げないような位置に配されている。
【００１９】
本実施形態は上記のような構造であって、続いてその作用を説明する。  
まずは、バッテリターミナル１をバッテリポスト２に装着する（図１状態）。次に、締め付け金具１６の操作部２６を押し込んで第２側面部側に向けて回動させると、図５に示すように、締め付け金具１６の作用面１７が第２側面部１３の摺動面２４に当接する。この状態から、さらに操作部２６を押し込んで締め付け金具１６を回動させると、両側面部１２，１３が互いに接近するようにして変位して、図６に示すように、バッテリポスト２を締め付けた状態となる。この間、摺動面２４は、締め付け金具１６の回動方向に沿う円弧状に形成されているから、摺動面２４と作用面１７との摺接が円滑に行われるようになっている。
【００２０】
続いて、締め付け金具１６を締め付け位置（図２状態）からロック位置（図３状態）に至るまで回動軸１５の軸方向に沿って後方に移動させる。すると、締め付け金具１６の作用部２８がロック受け部２５内に受け入れられて係止面２７に係止することで、締め付け金具１６の戻り動作が規制され、バッテリポスト２が締め付け状態に保持される。
【００２１】
以上のように、本実施形態においては、第１側面部１２の上縁に回動可能に支持された締め付け金具１６を第２側面部１３に向けて回動させ、両側面部１２，１３を互いに接近させることで、電極保持部１１がバッテリポスト２を締め付けることが可能となった。この間、作用面１７が締め付け金具１６の回動方向に沿って円弧状に形成された摺動面２４に摺接するようにしたから、円滑な回動動作を行うことが可能となった。また、締め付け金具１６を回動させた後、そのまま回動軸１５の軸方向に沿って後方へ移動させると、締め付け金具１６がロック受け部２５と係止して戻り動作が規制されるようにしたから、バッテリポスト２を締め付け状態に保持することが可能となった。すなわち、本実施形態によると、バッテリポスト２への締め込み作業が、一方向へ一回の動作で完結するといったワンタッチ作業で行うことが可能となり、操作位置を変更することなくそのまま後方へと移動させることで締め付け状態のロックを行うことが可能となった。
【００２２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２３】
（１）実施形態１では、第１側面部の上縁に締め付け金具を取り付けたものを例示したが、締め込み操作が可能であれば他の場所でもよく、例えば第１側面部の前縁に取り付けたものであってもよい。すなわち、この実施形態では、第１側面部の上縁において長さ方向（水平方向）に回動軸を設定したが、これに代えて、第１側面部の前縁において高さ方向に設定してもよい。
【００２４】
（２）実施形態１では、摺動面が第２側面部の上縁から右斜め上に向けて張り出し形成されているものを例示したが、要するに、摺動面は締め付け金具の回動方向に沿って形成され作用面と摺接可能であればよく、例えば第２側面部の上縁から左斜め下に向けて形成されているものであってもよい。
【００２５】
（３）実施形態１では、締め付け金具の回動操作を行うための操作部を設けたものを例示したが、あえて操作部を設ける必要はなく、作用部を操作してもよい。
【図面の簡単な説明】
【００２６】
【図１】実施形態１において締め付け開始前状態におけるバッテリターミナルの平面図
【図２】その締め付け完了状態で未ロック状態におけるバッテリターミナルの平面図
【図３】その締め付け完了状態でロック完了状態におけるバッテリターミナルの平面図
【図４】実施形態１において締め付け開始前状態におけるバッテリターミナルの正面図
【図５】その締め付け操作途上におけるバッテリターミナルの正面図
【図６】その締め付け完了状態におけるバッテリターミナルの正面図
【符号の説明】
【００２７】
１…バッテリターミナル
２…バッテリポスト
１１…電極保持部
１２…第１側面部
１３…第２側面部
１５…回動軸
１６…締め付け金具
２４…摺動面
２５…ロック受け部
【図１】
2006331784.tif 000003
【図２】
2006331784.tif 000004
【図３】
2006331784.tif 000005
【図４】
2006331784.tif 000006
【図５】
2006331784.tif 000007
【図６】
2006331784.tif 000008